(57)【要約】  照射方向（１０）に可変の電磁二次光線（６）を照射するための光線放射装置であって、動作時に電磁一次光線（４）を放射する少なくとも１つの光線放射構成素子（１）と、該光線放射構成素子（１）の光線路に配置されており、前記一次光線（４）を電磁変換光線（５）に少なくとも部分的に変換するための第１の波長変換物質（２１）を有する反射器（２）と、前記光線放射構成素子（１）および前記反射器（２）に対して配向を変化することのできる絞り（３）とを有し、ここでは、前記絞り（３）の配向の変化によって、前記光線放射構成素子（１）から前記第１の波長変換物質（２）に照射される一次光線（４）の成分（４１）と、照射される変換光線（５）が変化し、これによって二次光線が可変である光線放射装置。
2011527093.tif 000002
【特許請求の範囲】
【請求項１】
照射方向（１０）に可変の電磁二次光線（６）を照射するための光線放射装置であって、
・動作時に電磁一次光線（４）を放射する少なくとも１つの光線放射構成素子（１）と、
・該光線放射構成素子（１）の光線路に配置されており、前記一次光線（４）を電磁変換光線（５）に少なくとも部分的に変換するための第１の波長変換物質（２１）を有する反射器（２）と、
・前記光線放射構成素子（１）および前記反射器（２）に対して配向を変化することのできる絞り（３）とを有し、
・前記絞り（３）の配向の変化によって、前記光線放射構成素子（１）から前記第１の波長変換物質（２）に照射される一次光線（４）の成分（４１）と、照射される変換光線（５）が変化し、これによって二次光線が可変である光線放射装置。
【請求項２】
・反射器（２）は、第１の波長変換物質（２１）を備える第１の部分領域と、前記第１の波長変換物質（２１）とは異なる第２の波長変換物質（２２）を備える部分領域を有し、該第２の波長変換物質（２２）は一次光線（４）を電磁変換光線（５）に変化し、
・絞り（３）の配向の変化によって、二次光線（６）における前記第１の部分領域から照射される割合と、前記第２の部分領域から照射される変換光線（５）の割合が互い可変である請求項１に記載の装置。
【請求項３】
反射器（２）は、交互に並んで配置された複数の第１と第２の部分領域を有する請求項１または２記載の装置。
【請求項４】
反射器（２）は、一次光線（４）に対して部分的に反射性である請求項１から３までのいずれか１項記載の装置。
【請求項５】
絞り（３）は、少なくとも部分的に反射性に構成されている請求項１から４までのいずれか１項記載の装置。
【請求項６】
絞り（３）は第３の波長変換物質（３１）を有し、
絞り（３）の配向の変化によって、光線放射構成素子（１）から第３の波長変換物質（３１）に照射される一次光線（４）の割合が可変である請求項１から５までのいずれか１項記載の装置。
【請求項７】
絞り（３）は少なくとも１つの開口部（３０）を有する請求項１から６までのいずれか１項記載の装置。
【請求項８】
光線放射装置から、変換光線（５）の少なくとも一部が前記開口部（３０）を通して照射される請求項７記載の装置。
【請求項９】
絞り（３）は複数の開口部（３０）を有する請求項７または８記載の装置。
【請求項１０】
光線放射構成素子（１）に対する絞り（３）の配向は、並進（９０）および／または回転（９１）により可変である請求項１から９までのいずれか１項記載の装置。
【請求項１１】
絞り（３）は、外部観察者から見て反射器（２）の少なくとも一部を覆っており、当該部分は絞り（３）の配置の変化によって可変である請求項１から１０までのいずれか１項記載の装置。
【請求項１２】
絞り（３）は、光線放射構成素子（１）と反射器（２）の間に配置されている請求項１から１１までのいずれか１項記載の装置。
【請求項１３】
光線放射構成素子（１）は、反射器（２）と絞り（３）の間に配置されている請求項１から１１までのいずれか１項記載の装置。
【請求項１４】
光線放射構成素子（１）は、光線放射半導体構成素子および／または蛍光ランプを含む請求項１から１３までのいずれか１項記載の装置。
【発明の詳細な説明】
【技術分野】
【０００１】
本発明は、請求項１の上位概念による光線放射構成素子を備える光線放射装置に関する。
【背景技術】
【０００２】
色または色温度が可変である照明装置では、色の異なる個別の光源を１つのランプに組み合わせることができ、例えば個々の光源の明度は電流変化によって個別に調整される。得られるランプの混合光色は、これにより可変である。しかし通常モードでは、すべての個別の光源が同時に最大明度で発光するわけではない。したがってランプから放射される所望の光量を得るためには、所望の光量に対して実際に必要であるよりも多くの個別の光源を使用しなければならない。さらに放射される色温度を調整するためには、面倒な電子制御が必要である。したがってこの種のランプは、面倒でありコストが掛かる。
【０００３】
さらに光を通すカラーフィルタシートを備える照明装置が公知である。このカラーフィルタシートを光源の光が通過し、その色を変化させる。しかしこれにより光が損失し、光源により達成可能な最大明度が低下する。そのためこの種の照明装置では作用効率が低下し、ひいては製造コストおよび運転コストが増大する。
【発明の概要】
【発明が解決しようとする課題】
【０００４】
特定の実施形態の少なくとも１つの課題は、上記の欠点を回避した、電磁二次光線を可変に照射する光線放射装置を提供することである。
【課題を解決するための手段】
【０００５】
この課題は、請求項１の特徴を備える対象によって解決される。この対象の有利な実施形態および改善形態は従属請求項に示されており、以下の説明および図面から明らかとなる。
【０００６】
照射方向に可変の電磁二次光線を照射するための光線放射装置は、実施形態によればとりわけ、
・動作時に電磁一次光線を放射する少なくとも１つの光線放射構成素子と、
・該光線放射構成素子の光線路に配置されており、一次光線を電磁変換光線に少なくとも部分的に変換するための第１の波長変換物質を有する反射器と、
・前記光線放射構成素子および前記反射器に対して配向を変化することのできる絞りとを有し、
・ここでは絞りの配向の変化によって、光線放射構成素子から第１の波長変換物資に照射される一次光線の割合と、照射される変換光線が変化し、これによって二次光線が可変である。
【０００７】
ここおよび以下に示す「電磁光線」とは一般的に、「電磁一次光線」、「電磁二次光線」、および「電磁変換光線」、とりわけそれぞれ紫外線から赤外線波長領域の電磁光線または光を意味する。ここで変換光線と一次光線は相互に異なる。とりわけ一次光線は、スペクトル成分の第１のスペクトル分布、すなわち所属の強度を伴う個々の波長または波長領域を意味し、変換光線は第２のスペクトル分布を意味する。第１と第２のスペクトル分布は、少なくとも１つの波長において互いに異なっている。とりわけ二次光線および変換光線、さらには一次光線も、可視波長領域の波長を有する波長、すなわち可視光とすることができる。とくに好ましくは、このような波長および波長領域は、単色、混合色、または白色、とりわけ冷白色または暖白色の色印象を観察者に喚起することができる。外部観察者により知覚可能な電磁光線の色印象は、例えば当業者には周知のＣＩＥ１９３１表色系の色位置により表すことができる。さらに白色の照明印象は、当業者には周知の色温度および相関色温度により表すことができる。
【０００８】
ここおよび以下で、電磁光線の「変化」または電磁光線の割合の「変化」は、とりわけ強度、色、色温度、またはそれらの組み合わせの変化を意味することができる。とりわけ一次光線に関して、光線放射構成素子から第１の波長変換物資に放射される一次光線の割合の変化は、第１の波長変換物資に放射される一次光線の全体光線出力の変化を意味することができる。ここおよび以下で、変換光線の変化は、光線放射装置から照射される変換光線の光線出力の変化、および／または変換光線のスペクトル組成の変化を意味することができる。
【０００９】
ここおよび以下で「反射器」とは、電磁光線が入射されるとき、入射された電磁光線に対して同じまたは異なる電磁光線を再び照射する光学的構成素子である。ここに説明する光線放射装置では、とりわけ一次光線が反射器に入射され、変換光線が、または部分的に変換されない一次光線と変換光線が再び反射器から照射される。
【００１０】
ここおよび以下で「絞り」とは、１つの空間角領域からの電磁光線をフェードアウトし、これによりこの空間角領域を遮蔽するのに適した光学的構成素子である。絞りの配向が可変であることによって、遮蔽される空間角領域も可変である。とりわけ絞りは、ここで使用される意味では電磁光線に対して透明ではなく、半透明でもない。
【００１１】
絞りが光線放射構成素子と反射器に対して可変であることによって、光線放射構成素子と反射器が剛性に支承されるようになる。このことは、光線放射装置が、この光線放射装置を持続的に取り付け、および／または再び解離可能に固定するためのハウジングおよび／または構成部材を有し、光線放射構成素子と反射器が、取り付けおよび／または固定のための前記ハウジングおよび／または構成部材にしっかりと不動に取り付けられていることを意味する。これに対して絞りはその配向を、取り付けおよび／または固定のためのハウジングおよび／または構成部材に対して変化することができる。
【００１２】
ここに説明した光線放射装置は放射される二次光線を調整および適合することができ、例えば二次光線の強度、色温度および／または色位置を、光線放射構成素子および反射器に対する絞りの配向を相対的に変化することによって調整および適合することができる。ここでは光線放射構成素子を、光線放射装置の作動中に、一貫してかつ連続的に不変の動作状態で駆動することができる。このことによって、光線放射構成素子は動作中に不変の一次光線を照射し、一方、光線放射装置から照射される二次光線はそれでも可変である。ここで光線放射構成素子の不変の動作状態とは、一次光線がその強度およびスペクトル領域に関して変化せずに維持されることを意味する。したがって例えば光線放射構成素子を、調光する必要がない。これによって、上に説明したように二次光線を調整するために光線放射構成素子の電気供給を、手間を掛けて調整することが少なくなり、または完全に省略することができる。したがって二次光線の可変性は光線放射構成素子の動作状態に影響を与えず、例えば温度や、印加される電圧または電流といった電気パラメータに影響を与えない。
【００１３】
二次光線は一次光線および／または変換光線を含むことができ、二次光線の強度、色、すなわち色位置、および色温度であるパラメータの少なくとも１つが可変であるように変化することができる。
【００１４】
ここで二次光線は、とりわけ光線放射構成素子および反射器に対する絞りの配向に依存して、絞りの配向により割合が可変である一次光線および／または変換光線を有することができる。二次光線において可変である一次光線および／または変換光線の割合は、それぞれ最大値と最小値の間で可変である。ここで一次光線の可変の割合の最大値と最小値は、絞りの相互に異なる所定の２つの配向によって規定することができる。同様に、第１の波長変換物質により照射される変換光線の割合の最大値と最小値も、絞りの所定の２つの配向において規定することができる。一次光線および／または変換光線に対する最小値とは、ゼロとは異なる最終の光線出力を意味するか、またはゼロの光線出力を意味することもできる。すなわち、二次光線は、絞りがある特定の配向状態であるときに、変換光線だけを有し、一次光線は含まず、絞りが別の特定の配向状態にあるときには、一次光線だけを有し、変換光線を含まないことを意味する。絞りの２つの特定の配向状態の間を絞りが連続的に変化することによって、一次光線および／または変換光線の割合の変化により二次光線を連続的に変化することが達成される。
【００１５】
さらに二次光線は、光線放射構成素子および反射器に対する絞りの配向に依存して、絞りの配向により可変である変換光線のスペクトル組成を有することができる。変換光線のスペクトル組成、すなわち変換光線の全体スペクトル成分は、第１のスペクトルと第２のスペクトルとの間での絞りの配向の変化によって可変することができ、ここで第１のスペクトルと第２のスペクトルは、それぞれ１つの絞りの特定の配向によって規定することができる。
【００１６】
例えば反射器は、第１の波長変換物質を備える第１の部分領域と、第２の波長変換物質を備える第２の部分領域を、一次光線を電磁変換光線に変換するために有し、ここで第２の波長変換物質は、第１の波長変換物質とは異なる。第１と第２の部分領域は、直接相互に隣接することができる。したがって第１の波長変換物質から照射される変換光線は、第２の波長変換物質から照射される変換光線とは異なっていてよい。反射器に対する絞りの配向を変化することによって、第１の波長変換物質に入射される一次光線の割合と、第２の波長変換物質に入射される一次光線の割合との比を変化することができる。これにより、第１の部分領域から照射される、二次光線における変換光線の割合と、第２の部分領域から照射される、二次光線における変換光線の割合とを相互に相対的に変化することができ、このようにして変換光線および二次光線をそのスペクトル組成に関して変化することができる。
【００１７】
さらに反射器は、第１の波長変換物質を備える複数の第１の部分領域と、第２の波長変換物質を備える複数の第２の部分領域を有することができる。ここで第１と第２の部分領域は、交互に並置することができる。第１と第２の部分領域は線形とすることができ、直線または曲線に沿って配置することができる。または２つの方向に沿って、例えばチェス盤形状またはマトリクス形状に配置することができる。さらに第１と第２の部分領域の配置は、セグメント、セクタ、ディスクのような円形または楕円形とすることも、またはそれらの組み合わせとすることもできる。
【００１８】
さらに反射器は、一次光線に対して部分的に反射性とすることができる。すなわちこれは、一次光線の一部は、第１および／または第２の波長変換物質により変換されることなく反射器により、光線放射装置の照射方向に偏向されること意味する。これによって反射器から照射された電磁光線は、変換光線と反射された一次光線の重畳から、混合色の照明印象を喚起することができる。加えて反射器は、第１または場合により第２の波長変換物質が塗布された反射性の表面を有することができる。反射性の表面によって、第１の波長変換物質または場合により第２の波長変換物質を変換されずに通過した変換されない一次光線が、第１または第２の波長変換物質に後方反射されるようになり、これによって変換確率を効率的に高めることができる。
【００１９】
例えば反射器またはその反射性表面は指向性にまたは拡散性に反射することができる。指向性の反射は、反射器の鏡面状表面により行うことができる。「拡散性の反射」とは、反射器に指向して入射された一次光線がフェードアウトされずに等方性に、すなわち種々異なる方向に均等に反射器から反射されることを意味する。加えて反射性表面は粗化することも、または反射性微細構造を有することもできる。
【００２０】
その代りに、変換光線だけが照射方向に偏向され、放射されるように反射器を構成することもできる。加えて、第１の波長変換物質および／または場合により第２の波長変換物質を、反射器に入射される一次光線全体が変換光線に変換されるように構成することもできる。その代りにまたはそれに加えて反射器は、第１および／または第２の波長変換物質が取り付けられており、一次光線に対して吸収性である表面を有することができる。この種の構成は、一次光線が紫外線または赤外線を含んでいるか、または紫外線または赤外線である場合にとくに有利である。この種の光線は外部観察者には知覚されないが、紫外線の場合は健康上の理由から望ましいものではない。
【００２１】
反射器はプラスチック、金属、セラミックまたはそれらの複合物を有することができ、または前記の材料から作製することができる。例えば反射器は、アルミニウムまたは銀のような金属製とすることができ、または少なくとも金属製の表面を有することができる。さらに反射器は、プラスチック、とくに好ましくは白色のプラスチックを有することができる。
【００２２】
さらに反射器は散乱粒子を有することができる。ここで散乱粒子は、反射器の表面に配置することができる。または散乱粒子は、波長変換物質とともに、上に述べたようにマトリクス材料内に封鎖するか、または反射器上に施与することができる。とりわけ散乱粒子は、例えば酸化チタンまたは酸化アルミニウムのような酸化金属、鋼玉および／またはガラス球を含むことができる。ここで散乱粒子は、１μｍ以下から１０μｍまでの大きさの直径または粒径を有することができる。
【００２３】
波長変換物質、すなわち第１の波長変換物質および／または第２の波長変換物質は、以下の材料の１つまたは複数を有することができる。レアアースおよびアルカリ土類金属のガーネット、例えばＹＡＧ：ＣＥ３＋、ニトリド、ニトリドシリケート、シオン、サイアロン、アルミン酸塩、酸化物、ハロリン酸、オルトシルク酸、硫化物、バナジウム酸塩、ペリレン、クマリン、およびクロロシルク酸。さらに波長変換物質は、それらの適切な混合物および／または複合物を含むことができる。
【００２４】
さらに波長変換物質は、透明なマトリクス材料に埋め込むことができ、このマトリクス材料は波長変換物質を包囲するかまたは含み、あるいは波長変換物質に化学的に結合している。透明なマトリクス材料は、例えばシリコーン、エポキシド、アクリラート、イミド、炭酸塩、オレフィンまたはその誘導体を、モノマー、オリゴマーまたはポリマーの形でそれらの混合物、コポリマーまたは化合物として有することができる。例えばマトリクス材料は、エポキシ樹脂、ポリメタクリル酸メチル（ＰＭＭＡ）またはシリコーン樹脂とすることができる。
【００２５】
ここで波長変換物質は、マトリクス材料内に均一に分散することができる。その代りに、種々の上記材料を、マトリクス材料の種々異なる層または領域に分散させて配置することもできる。
【００２６】
ここで波長変換物質は反射器に直接取り付けることができる。波長変換物質および／またはマトリクス材料は、例えば噴霧法またはプリント法によって、ディップコーティング、ドクターブレード塗布、ブラッシングによって、または電気泳動法によって反射器に施与することができる。
【００２７】
波長変換物質は、一次光線を波長の長い変換光線に変換するのに適する。したがい一次光線は紫外線から緑の波長領域のスペクトル成分を含むことができ、一次光線は、黄色から赤の波長領域のスペクトル成分を有する変換光線に変換される。その代りにまたはそれに加えて、波長変換物質は、周波数混合特性および／または周波数倍化特性を有することができ、例えば赤外線一次光線を可視変換光線に変換することができる。
【００２８】
さらに絞りも少なくとも部分的に反射性に構成することもできる。ここで絞りは、上に反射器と関連して説明した材料を１つまたは複数有することができる。光線放射構成素子および反射器に対して、下に説明するように絞りがどのように空間的に配置されているかに応じて、絞りに入射される一次光線を、照射方向にまたは反射器の方向に偏向する絞りが適切であり得る。
【００２９】
光線放射構成素子および反射器に対する絞りの配向が可変であることによって、少なくとも部分的に反射性の絞りによって反射することのできる一次光線の割合も可変となる。したがい光線放射構成素子および反射器に対する絞りの空間的配置に応じて、二次光線における一次光線の割合、または反射器に偏向または入射される一次光線の割合が可変であり、これによってさらに二次光線における変換光線の割合も可変となる。
【００３０】
さらに絞りは、第３の波長変換物質を、一次光線を変換光線に少なくとも部分的に変換するために有することができ、この第３の波長変換物質は第１および第２の波長変換物質とは異なる。ここで第３の波長変換物質は、上に第１および第２の波長変換物質と関連して説明した材料を１つまたは複数有することができる。これにより二次光線は、一次光線および反射器から照射される変換光線の他に、絞りから照射される変換光線も有することができる。
【００３１】
光線放射構成素子および反射器に対する絞りの配向が可変であることによって、絞りに入射される一次光線の割合も可変となる。これによって、第３の波長変換物質により変換光線に変換することができる一次光線の割合、および二次光線における変換光線の割合が可変となる。
【００３２】
絞りは、反射器の形状に適合した形状を有することができる。このことは反射器は、例えば多角形または円形、またはそれらの組み合わせを有することができることを意味する。加えて絞りは、反射器の少なくとも一部または全体を、反射器に対する絞りの少なくとも１つの配向において遮蔽する形状を有することができる。これはとくに、絞りが反射器に類似の形状または同じ形状を有することを意味する。例えば反射器および絞りは、それぞれ長方形、楕円形または円形の面を有することができ、これらの面を上下に合同で重ねることができる。反射器および絞りに関する面の幾何形状の例は、ユークリッド幾何または非ユークリッド幾何に関連することができる。すなわち反射器および／または絞りの面境界は多角形または円形を有することができ、これにより画定された面は、ユークリッド幾何の場合は平坦であり、非ユークリッド幾何の場合は湾曲している。例えば反射器および／または絞りは、シリンダ外套の一部として、球形シェルの一部として、回転楕円体、回転放物体または回転双曲体の一部として、またはそれらの組み合わせとして構成することができる。
【００３３】
とりわけ絞りは、光線放射構成素子と反射器に対する少なくとも１つの配向においては、この絞りが外部観察者から見て反射器の少なくとも一部を覆うように構成することができる。絞りにより覆われる反射器の一部は、絞りの配向の変化によって可変である。とりわけこのことは、光線放射構成素子の絞りと反射器への照射方向とは反対方向に見る外部観察者により知覚可能である。
【００３４】
絞りはさらに少なくとも１つの開口部を有することができ光線放射構成素子および反射器に対するこの開口部の配向は可変である。この開口部は、反射器上にある第１の波長変換物質の形状および／または第２の波長変換物質の形状に適合されている。第１の波長変換物質または第１と第２の波長変換物質は例えば多角形、長方形、正方形、または円形、環形、または楕円形の面領域、またはそれらの組み合わせを反射器上で取ることができる。開口部は、絞りが反射器に対して特定の配向であるときに第１の波長変換物質を完全にまたはほぼ完全に、絞りの反射器とは反対の側から見ることができるような横断面を有する。したがって開口部は、多角形、長方形または正方向、または円形、環形、または楕円形の横断面、またはそれらの組み合わせを有することができる。
【００３５】
とりわけ反射器から照射される変換光線の少なくとも一部、すなわち第１および第２の波長変換物質により形成され、照射される変換光線は、この開口を通って光線放射構成装置の照射方向に照射される。
【００３６】
さらに絞りは複数の開口部を有することができる。反射器が例えば上に説明したように、第１の波長変換物質を備える複数の第１の部分領域と、第２の波長変換物質を備える複数の第２の部分領域を有しており、これらが交互に並置されている場合、絞りは、第１と第２の部分領域の数に等しい複数の開口部を有することができる。絞りの特定の配向では、複数の開口部のそれぞれが、複数ある第１の部分領域の１つの上に配置されている。これにより、光線放射装置は複数の開口部を通して、第１の部分領域にある第１の波長変換物質により形成され照射される変換光線を照射することができる。絞りの別の特定の配向では、複数の開口部のそれぞれが、複数ある第２の部分領域の１つの上に配置されている。これにより、光線放射装置は複数の開口部を通して、第２の部分領域にある第２の波長変換物質により形成され照射される変換光線を照射することができる。この２つの特定の配向の間で絞りの配向を変化することによって、二次光線では、それぞれ第１の波長変換物質と、第２の波長変換物質により形成された変換光線の割合が可変となる。
【００３７】
絞りの配向は、光線放射構成素子および反射器に対する並進によって可変である。すなわち、光線放射構成素子および反射器は剛性に支承または固定されており、絞りがこれに対して相対的に移動可能である。ここで並進は、例えば直線または曲線に沿って行うことができる。例えば並進は、円形または楕円形の並進路で行うこともできる。これに加えて光線放射構成素子は、案内レールまたは滑り機構のような案内要素を有することができ、これによって絞りが機械的または電気機械的に移動可能である。並進は連続的移動、またはラスタにより設定される離散ステップでの移動とすることができる。
【００３８】
その代りにまたはそれに加えて、二次光線は、光線放射構成素子および反射器に対する絞りの回転によって可変である。これは、絞りが回転可能に支承されており、光線放射構成素子および反射器が環境に対して剛性に不動に支承されていることを意味する。絞りは例えば反射器に対して、反射器の延在方向に対して平行または垂直の回転軸を中心に回転可能である。例えば反射器の延在方向に対して垂直の回転軸は、絞りを反射器の延在方向に対して平行に旋回させることができる。さらに絞りは反射器に対して、反射器の延在方向に対して平行の回転軸を中心に回転可能とすることができ、これにほり絞りは反射器に対して機械的または電気機械的に揺動可能である。これに加えて光線放射装置は、機械軸のような回転軸を備える回転機構、旋回機構または揺動機構、継手、またはヒンジのような回転要素を有することができる。
【００３９】
回転は連続的回転、またはラスタにより設定される離散的角度ステップでの回転とすることができる。
【００４０】
二次光線をできるだけ正確に所望のように調整および変化できるようにするため、光線放射装置は、上に説明したように、絞りに対する適切な配向装置を備える第１、第２および／または第３の波長変換物質の組み合わせを有することができる。
【００４１】
絞りは、前に説明した実施形態では光線放射構成素子と反射器の間に配置されている。その代りに、光線放射構成素子を絞りと反射器の間に配置することもできる。
【００４２】
光線放射構成素子は点状光線源、線形光線源、または平面光線源として実施することができる。とりわけ線形光線源として実施された光線放射構成素子は、好ましくは直線に対して平行に延在することができるが、しかし湾曲しても実施することができる。例えば光線放射構成素子は蛍光ランプ、とりわけ冷陰極蛍光ランプＣＣＦＬ、熱陰極蛍光ランプＨＣＦＬ、外部電極を有する蛍光ランプＥＥＦＬ、または平面蛍光ランプＦＦＬを含む。その代わりまたはそれに加えて、光線放射構成素子はエレクトロルミネセンスフィルムを有するか、またはそれとすることができる。さらに光線放射構成素子は、発光ダイオードまたはレーザーダイオードのような光線放射半導体素子を含むか、またはそれとすることができる。ここで光線放射半導体素子は、無機または有機発光ダイオードまたはレーザーダイオードとすることができる。光線放射装置が複数の発光ダイオードまたはレーザーダイオードを含み、これらが同じまたはそれぞれ異なる電磁光線を放射することも有利である。
【００４３】
無機ＬＥＤまたはレーザーダイオードとして実施された光線放射半導体素子は、エピタキシャル層列、すなわちエピタキシャルに成長された半導体層列を有することができる。ここで半導体層列は、例えばＩｎＧａＡｌＮのような無機材料をベースとし、ＧａＮ薄膜半導体チップとして実施することができる。ＩｎＧａＡｌＮベースまたはニトリドベースの半導体チップでは、通例は種々異なる個別層からなる層列を有する、エピタキシャルに作製された半導体層列が、ＩＩＩ−Ｖ族化合物半導体材料系ＩｎｘＡｌｙＧａ１−ｘ−ｙＮ、ただし０≦ｘ≦１、０≦ｙ≦１、かつｘ＋ｙ≦１の材料を有する少なくとも１つの個別層を含む。その代わりまたはそれに加えて、半導体層列はＩｎＧａＡｌＰベース、すなわちリン化水素ベースとすることもでき、半導体層列は種々異なる個別層を有し、それらのうちの少なくとも１つの個別層は、ＩＩＩ−Ｖ族化合物半導体材料系ＩｎｘＡｌｙＧａ１−ｘ−ｙＰ、ただし０≦ｘ≦１、０≦ｙ≦１、かつｘ＋ｙ≦１の材料を有する。その代わりまたはそれに加えて、半導体層列は他のＩＩＩ−Ｖ族化合物半導体材料系、例えばＡｌＧａＡｓベースの材料、またはＩＩ−ＶＩ族化合物半導体材料系を有することができる。ＩＩ−ＶＩ族化合物半導体材料系は、例えばＢｅ，Ｍｇ，Ｃａ，Ｓｒのような第２主族からの少なくとも１つの元素と、例えばＯ，Ｓ，Ｓｅのような第６主族からの元素を有することができる。とりわけＩＩ−ＶＩ族化合物半導体材料系は、二元性、三元性または四元性化合物を含み、この化合物は第２主族からの少なくとも１つの元素と、第６主族からの少なくとも１つの元素を含む。このような二元性、三元性または四元性化合物は、例えば１つまたは複数のドープ物質と付加的な構成部分を有することができる。例えばＩＩ−ＶＩ族化合物半導体材料系には、ＺｎＯ，ＺｎＫｇＯ，ＣｄＳ，ＺｎＣｄＳ，ＭｇＢｅＯが含まれる。
【００４４】
半導体層列は活性領域として例えば、従来のｐｎ接合部、二重ヘテロ構造、単一量子井戸構造（ＳＱＷ構造）または多重量子井戸構造（ＭＱＷ構造）を有することができる。半導体層列は活性領域の他に、さらなる機能層および機能領域、例えばｐまたはｎドープされた電荷担体輸送層、すなわち電子または正孔輸送層、ｐまたはｎドープされた、またはドープされないコンファインメント層またはクラッド層、障壁層、プレーナ層、バッファ層、保護層および／または電子ならびにそれらの組み合わせを含むことができる。このような活性領域またはさらなる機能層および機能領域に該当する構造体の構造、機能、および構造は当業者には周知であり、ここでは詳細に説明しない。
【００４５】
例えば光線放射構成素子は、紫外線スペクトル領域および／または青スペクトル領域の電磁一次光線を照射する。ここで一次光線は、約３６５ｎｍから約４９０ｎｍまでの範囲で１つまたは複数の波長を含むことができる。
【００４６】
光線放射構成素子は、ここに説明する光線放射装置の場合、動作時に変化せずに持続的に最適効率および／または完全な明度で駆動することができ、このことは蛍光ランプでも半導体構成素子でも、高い信頼性と長寿命を可能にする。
【００４７】
さらにここに説明する光線放射装置は、遮断された動作状態でも、例えば室内照明または室内の色温度の変化に寄与することができる。このためにこの光線放射装置は室内に取り付けることができ、第１の波長変換物質および／または第２の波長変換物質および／または第３の波長変換物質を、室内に存在する周囲光、例えば太陽光により変換光線の照射のために励起することができる。反射器に対する絞りの配向を変化することにより変換光線を、上に説明したように光線放射装置が動作する状態で変化することができ、これによって遮断された状態でも照射することのできに二次光線を変換光線の形で可変にすることができる。
【００４８】
本発明のさらなる利点および有利な実施形態は、図１Ａから５Ｂに関連して説明する以下の実施形態から明らかとなる。
【図面の簡単な説明】
【００４９】
【図１Ａ】一実施例による光線放射装置の概略図である。
【図１Ｂ】一実施例による光線放射装置の概略図である。
【図１Ｃ】一実施例による光線放射装置の概略図である。
【図２】別の実施例による光線放射装置の概略図である。
【図３Ａ】別の実施例による光線放射装置の概略図である。
【図３Ｂ】別の実施例による光線放射装置の概略図である。
【図３Ｃ】別の実施例による光線放射装置の概略図である。
【図４Ａ】別の実施例による光線放射装置の概略図である。
【図４Ｂ】別の実施例による光線放射装置の概略図である。
【図４Ｃ】別の実施例による光線放射装置の概略図である。
【図５Ａ】別の実施例による光線放射装置の概略図である。
【図５Ｂ】別の実施例による光線放射装置の概略図である。
【発明を実施するための形態】
【００５０】
実施例および図面中、同じ構成部材または同じように作用する構成部材には同じ参照符合が付してある。図示の要素およびその大小関係は異なっており、基本的に縮尺通りではない。個々の要素、例えば層、構成部材、構成素子および領域は、見やすくするためおよび／または分かりやすくするために誇張して太くまたは大きく図示されている。
【００５１】
ここおよび以下で、実施例に図示された光線放射装置は、分かりやすくするためハウジング、機械的保持機構、機械的または電気機械的移動および／または回転機構、電気供給部および／または制御素子を省略して示されているが、これらは当業者には周知のものである。すべての実施例で共通して、反射器２３ならびに光線放射構成素子１は剛性に支承されており、絞り３だけが反射器２および光線放射構成素子１に対してその配向を変化することができる。
【００５２】
図１Ａから１Ｃには、光線放射装置１００に対する実施例が示されている。光線放射装置１００は光線放射構成素子１を有し、この構成素子は動作時に電磁一次光線４を放射する。光線放射構成素子１は、図示の実施例ではニトリドベースの無機レーザーダイオードを有し、このレーザーダイオードは、約３６５から４９０ｎｍの波長範囲のスペクトル成分と青い照明印象で照射する。
【００５３】
光線放射構成素子１にレーザーダイオードを使用することにより、強度の大きい一次光線４を拡散の少ない視準化された光線として照射することができる。大きな照明力を必要とする適用のためには、光線放射構成素子１が、レーザーダイオードバーまたはレーザーダイオードアレイのような複数のレーザーダイオードを有することができる。その代りに、光線放射構成素子１は１つまたは複数のＬＥＤまたは蛍光ランプを有することもできる。さらに光線放射構成素子１はハウジングと、一次光線４を視準化するための光学的要素を有するが、これらは上に述べたように見やすくするため図示されていない。
【００５４】
一次光線４は反射器２に照射される。反射器２は拡散反射性の白色表面を有しており、この表面は光線放射構成素子１に向いている。反射器２は電磁光線を、その波長に関係なく拡散することができ、すなわち電磁光線を優先方向なしで反射器から偏向することができる。これに加えて反射器２は、光線放射構成素子１に向いた側の表面に粗部を有する。その代りにまたはそれに加えて、反射器２には上に説明したように散乱粒子を施与することができる。
【００５５】
反射器２には第１の波長変換物質２１が取り付けられており、この第１の波長変換物質２１は一次光線を少なくとも部分的に電磁変換光線５に変換することができる。これに加えて第１の波長変換物質２１は、上の一般的部分に説明した物質を１つまたは複数有し、これらは透明マトリクスに埋め込まれて反射器２上に配置されている。第１の波長変換物質２１から照射される変換光線５は、図示の実施例では黄色の波長を有する。第１の波長変換物質２１の組成と濃度、および第１の波長変換物質２１が反射器に塗布される厚さは、反射器２に入射する一次光線４が変換光線５に完全に変換されるように選択される。ここで「完全に変換」とは、第１の波長変換物質２１を有する反射器２から１／ｅ以下の、好ましくは１／ｅ２以下の、とくに好ましくは１％以下の一次光線４が照射されることを意味し、ここでｅはオイラー数である。とりわけ一次光線４が、紫外線波長領域のスペクトル成分を有する場合、外部観察者に対する健康上の理由から、反射器２から、すなわち光線放射装置１００から照射される一次光線４の割合はできるだけ小さいのが好ましい。
【００５６】
さらに光線放射装置１００は絞り３を有しており、光線放射構成素子１および反射器２に対するこの絞り３の配向は可変である。図示の実施例で絞り３は、二重矢印９０により示された並進経路または移動方向で、光線放射構成素子１および反射器２に対して移動可能である。ここで絞り３は反射器２と光線放射構成素子１との間に配置されており、絞り３は相対的は以降に応じて、反射器２の少なくとも一部を光線放射構成素子１から見て覆い、したがって遮蔽することができる。光線放射構成素子１は、絞り３の配向を変化させるために機械的または電気機械的移動および／またはスライド機構、例えばレール（分かりやすくするため図示されていない）を有している。その代わりまたはそれに加えて、絞り３は光線放射構成素子１および反射器２に対して回転可能でも良い。加えて、光線放射装置１００は、例えばヒンジおよび／または継手の回転軸の形である旋回、揺動および／または回転機構を有することができる。
【００５７】
絞り３は図示の実施例では反射器と同様に、拡散反射性の白色表面を有しており、この表面は光線放射構成素子１に向いている。
【００５８】
これにより絞り３に入射する一次光線４の少なくとも可視光成分が、波長に依存しないで拡散され反射される。一次光線４が少なくとも紫外線波長領域からのスペクトル成分を有している場合、絞り３がさらに紫外線に対しても吸収性であり、可視光線だけが絞り３から反射されるようにすると有利である。加えて絞り３は、光線放射構成素子１に向いた側の表面にＵＶフィルタ層を有することができる。
【００５９】
反射器２と絞り３は図示のように平坦に実施されている。その代りに、反射器２および／または絞り３を湾曲して、または弓状に実施することもできる。とりわけ反射器２は、指向性または拡散性に反射する中空ミラーの形に実施することもできる。加えて反射器２は、中空シリンダ、中空ボール、回転楕円体、回転放物体、回転双曲体またはそれらの組み合わせの一部の形に実施することができ、光線放射構成素子１に向いた側の反射器２の表面を凸状または凹状に実施することができる。
【００６０】
光線放射装置１００は、光線放射構成素子１の動作時に矢印１０により示した照射方向に電磁二次光線６を照射する。この電磁二次光線６は、光線放射構成素子１と反射器２に対する絞り３の配向に依存して可変である。図１Ａから１Ｃには、絞り３の３つの異なる配向が示されており、これらに基づき例として、二次光線６の可変性および調整可能性について以下に説明する。
【００６１】
図１Ａには、一次光線４全体が第１の波長変換物質２１に入射されるような、反射器２に対する第１の配向に絞り３が配向されている。したがって第１の波長変換物質２１により変換光線５に変換することのできる一次光線４の成分４１は、第１の配向では一次光線４全体を含む。したがって光線放射装置１００は、図１Ａの第１の配向では二次光線６として変換光線５を照射する。したがって二次光線６は、絞り３の第１の配向では、一次光線４の割合がゼロである。
【００６２】
図１Ｂでは絞り３が反射器３に対して第２の配向にあり、この第２の配向で絞り３は反射器２を完全に、したがって第１の波長変換物質２１も完全に遮蔽する。したがって絞り３に入射される一次光線４の割合は一次光線４全体を含み、一方、変換光線に変換される一次光線４の割合は、図１Ｂの第２の配向ではゼロである。これにより、光線放射装置１００は、第２の配向では二次光線６として、絞り３から反射された一次光線４を照射する。この一次光線４は上に示した実施例では、一次光線４の可視光成分全体とすることができる。
【００６３】
絞り３は、図１Ａの第１の配向と、図１Ｂの第２の配向との間で、移動方向９０に沿って連続的に可変である。これが図１Ｃに示されている。したがって絞り３は、第１と第２の配向の間にある配向を取ることができる。図１Ｃによる絞り３の配向では、絞り３が反射器２および第１の波長変換物質２１を部分的に遮蔽し、これにより一次光線４の第１の成分４１が第１の波長変換物質２１に、一次光線４の第２の成分４２が絞り３に入射される。したがって二次光線６は、図１Ｃによる絞り３の配向では、可変の第１の成分４１によって同様に可変である、第１の波長変換物質２１から照射される変換光線５の成分と、絞り３にから反射される一次光線４の第２の成分とを含む。
【００６４】
図１Ｃにおける成分４１と成分４２が、分かりやすくするために破線により示されている。ここで一次光線４の第１と第２の成分４１，４２は、光線放射構成素子１の構成、とりわけ光線放射構成素子１の照射特性に依存する。
【００６５】
とりわけ第１の波長変換物質２１から照射された変換光線５と、絞り３から反射された一次光線４は少なくとも部分的に、または合同で重なり合い、したがい二次光線６は、一次光線４と変換光線５の均一な重なり合いおよび混合を有することができる。したがい二次光線６は絞り３の配向の変化によって、光線放射構成素子１から第１の波長変換物資２１に照射される一次光線４の第１の割合の変化により可変であり、かつ、照射される変換光線５の変化により可変である。ここでの二次光線６の照明印象は、図示の実施例では青色と黄色の間で連続的に変化することができる。とりわけ絞り３が図１Ｃのように、図１Ａの第１の配向と図１Ｂの第２の配向との間の配向であるときに、二次光線６は青色の一次光線４と黄色の変換光線５との重なり合いによって、色温度の変化する白色照明印象または視準化された可変の色温度を喚起することができる。
【００６６】
とりわけ１つまたは複数の青色ＬＥＤまたはレーザーダイオードを光線放射構成素子１として使用する場合、色照射が可変である従来の照明装置と比較して光線放射装置に対し格段のコスト的な利点がある。なぜなら光線放射構成素子１を完全な明度で駆動することができ、それでも二次光線６の照明印象の色を絞り３によって調整することができるからである。さらに、光線放射構成素子１が複数である場合でも一次光線４だけが使用されるから、面倒な色調整（カラーマネージメントシステム）を省くことができ、節約になる。
【００６７】
以下の図面には、光線放射装置についての実施例が示されており、この実施例は図１Ａから１Ｃによる実施例の光線放射装置１００の変形および／または改善を含む。したがって以下の説明は主に、光線放射装置１００との比較において相違に関するものである。
【００６８】
図２には光線放射装置２００に対する実施例が示されており、この実施例は光線放射装置１０の変形である。前の実施例と比較して、光線放射構成素子１は、４６５から４８０ｎｍの波長のスペクトル成分を有する青色光だけを一次光線４が含むように実施されている。
【００６９】
反射器２と第１の波長変換物質２１は、反射器２および第１の波長変換物質２１に入射される一次光線４の第１の成分４１が、黄色波長範囲のスペクトル成分を有する変換光線５に部分的に変換され、一次光線４の一部も反射器２から反射されるように実施されている。これにより反射器２は、一次光線４と変換光線５の重なり合いである電磁光線を放射し、この電磁光線は外部の観察者に冷白色の照明印象を喚起することができる。ここおよび以下で「冷白色」とは、色温度または視準化された色温度が約５５００Ｋｅｌｖｉｎ以上である電磁光線を指す。約５５００Ｋｅｌｖｉｎの色温度は、当業者には既知のＣＩＥ−１９３１標準色表でのｘ＝ｙ＝１／３の色座標を有する放射スペクトルの黒体放射体に相当する。
【００７０】
絞り３は、光線放射構成素子１に向いた側の表面に第３の波長変換物質３１を有しており、この第３の波長変換物質は一次光線４を少なくとも部分的に、緑色および／または黄色と、赤色の波長範囲にあるスペクトル成分の変換光線５に変換する。第３の波長変換物質３１は、その材料選択、濃度、絞り３上の厚さに関し、絞り３および第３の波長変換物質３１に入射される一次光線４の成分４２の一部が、絞り３から変換されずに反射できるよう選択されている。これにより絞り３から、青色一次光線４と、緑色および／または黄色と赤色変換光線５の重なり合いを放射することができ、これは外部観察者に暖白色の照明印象を喚起することができる。
【００７１】
したがって光線放射構成素子１および反射器２に対する絞り３の配向を変化することによって、反射器２と第１の波長変換物質２１に入射される一次光線４の第１の成分４１と、絞り３と第３の波長変換物質３１に入射される一次光線４の第２の成分４２を互いに変化することができる。これにより、冷白色の色印象を有する電磁光線の成分は反射器２により、暖白色の照明印象を有する電磁光線の成分は絞り３により互いに変化することができる。したがって絞り３の配向を変化することにより、光線放射装置２００から照射方向１０に諸Ｕｓはされる二次光線６の色温度または視準化された色温度を、光線放射構成素子１の照射強度を変える必要なしに変化することができる。
【００７２】
図３Ａから３Ｃには、光線放射装置３００に対する別の実施例が示されている。ここで図３Ａには、放射方向１０とは反対側での光線放射装置３００の平面図が示されている。図３Ｂと３Ｃには、図３ＡにＢＢおよびＣＣにより示された断面に沿った概略的断面図が示されている。以下の説明は、図３Ａから３Ｃに同じように関連するものである。
【００７３】
光線放射装置３００は反射器２を有し、この反射器２には第１の波長変換物質２１およびこれに隣接して第２の波長変換物質２２が配置されている。ここで第２の波長変換物質２２は、第１の波長変換物質２１とは異なっている。さらに反射器２には２つの光線放射構成素子１が配置されており、これらはＬＥＤとして青色一次光線を放射するように実施されている。
【００７４】
反射器２の上には絞り３が配置されており、この絞り３は一次光線に対して反射性である。これにより、光線放射構成素子１から反射性の絞りに照射される一次光線は、この絞りから波長変換物質２１，２２に反射される。絞り３は開口部３０を有し、この開口部３０は第１および第２の波長変換物質２１，２２の形状に適合されている。外部観察者は、図３Ａに示すように照射方向とは反対の視線方向で、第１および／または第２の波長変換物質２１、２２の開口部３０を通して見ることができる。図示の実施例では、第１および第２の波長変換物質２１，２２ならびに開口部３０がそれぞれ長方形に実施されている。しかしその他に、例えば一般的部分に述べた他の形状も可能である。反射器２および光線放射構成素子１に対する絞り３の配向を変化することにより、第１および第２の波長変換物質２１，２２にそれぞれ入射される一次光線の割合を、絞り３の開口部３０を通して変化することができる。
【００７５】
図示の実施例では、第１の波長変換物質２１が前の実施例と同じように、青色一次光線をスペクトル成分が黄色波長領域にある変換光線に変換するよう実施されている。第２の波長変換物質２２は、第３の波長変換物質３１の前の実施例と同じように、青色一次光線４を、スペクトル成分が緑色および／または黄色と赤色の波長領域にある変換光線に変換するよう実施されている。反射器２の一部には第１および第２の波長変換物質２１，２２がないから、少なくともこの部分では一次光線が変換されずに反射される。
【００７６】
絞り３は、並進経路９０に沿って反射器２および光線放射構成素子１に対して移動可能である。図３Ａに例として示された絞り３の配向では、開口部３０が第２の波長変換物質２２の上にだけ配置されている。これにより開口部３０を通して、第２の波長変換物質から照射される変換光線ならびに変換されない一次光線だけが照射され、光線放射装置３００は照射方向１０に、暖白色の照明印象を有する二次光線を照射することができる。絞り３の配向が、開口部３０が第１の波長変換物質２１の上にだけ配置されるように変化されると、開口部３０を通して、第１の波長変換物質２１から照射される変換光線および変換されない一次光線だけが照射されるようになる。反射器２に対する絞り３のこの配向では、光線放射装置３００が冷白色の照明印象を有する二次光線を照射することができる。開口部３０が第１と第２の波長変換物質２１，２２の上に配置され、第１の波長変換物質の一部２１と第２の波長変換物質２２の一部の両方を開口部を通して見ることができる場合、光線放射装置３００は、冷白色の色印象を備える電磁光線と暖白色の照明印象を備える電磁光線の重なり合いである二次光線を照射することができる。
【００７７】
絞り３の配向、すなわち反射器２および光線放射構成素子１に対する開口部３０の配向を連続的に変化することによって、二次光線をその照明印象に関して連続的に変化することができ、その際に、光線放射構成素子１の照射強度を変化する必要がない。さらに同じまたは少なくとも類似の一次光線を放射する同じ形式の光線放射構成素子１を使用することができる。
【００７８】
図４Ａから４Ｃには、光線放射装置４００に対する実施例が示されている。図４Ｂと４Ｃには、図４ＡにＢＢおよびＣＣにより示された断面に沿った概略的断面図が示されている。図４Ｂと４Ｃで断平面ＡＡは、図４Ａに示された光線放射装置４００の断面を示す。
【００７９】
ここで光線放射装置４００は、前の実施例の光線放射装置３００と類似に実施されている。しかし光線放射装置３００とは異なり、光線放射装置４００はライトケースとして実施された反射器２を有し、この反射器２では複数の第１の波長変換物質２１と、複数の第２の波長変換物質２２が、反射器２の第１と第２の部分領域に配置されている。ここで第１と第２の波長変換物質２１，２２を有する第１と第２の部分領域は、平行の直線に沿って反射器２上に交互に並んで取り付けられている。
【００８０】
さらに反射器２上には平行の直線に沿ってセル状に、ＬＥＤまたはレーザーダイオードとして実施されたそれぞれ複数の光線放射構成素子１が配置されている。その代りにまたはそれに加えて、光線放射構成素子１を一般的部分に記載した蛍光ランプとして実施することもできる。
【００８１】
光線放射構成素子１と、第１および第２の波長変換物質２１，２２を備える部分領域の上には、移動可能で反射性の絞り３が配置されており、この絞り３は複数の開口部３０を有する。各開口部３０は、隣接する第１と第２の波長変換物質２１，２２のペアに割り当てられており、これにより光線放射装置４００から照射される二次光線は、図３Ａから３Ｃによる光線放射装置３００の場合と同じ原理で可変である。
【００８２】
絞り３の上には照射方向でディフューザ７が配置されており、このディフューザ７８は開口部３０を通して照射される電磁光線の混合を可能にし、これにより二次光線の均一な照射を保証する。ここでディフューザ７は、半透明の、すなわち光透過性であるが透明ではない表面を有する散乱板として、乳白ガラス板の形態に実施されている。
【００８３】
さらに光線放射装置は、複数の第１の波長変換物質２１と光線放射構成素子１を有することができ、二次光線は、図１Ａから１Ｃによる光線放射装置１００と２００の原理にしたがい可変である。
【００８４】
図５Ａと５Ｂには、光線放射装置５００に対する実施例が示されており、この光線放射装置５００は湾曲して実施された反射器２を有する。反射器２の光線放射構成素子１に向いた側の凹状の表面には第１の波長変換物質２１が配置されており、この第１の波長変換物質２１は一次光線を少なくとも部分的に電磁変換光線に変換することができる。光線放射構成素子１は、図示の実施例では、図平面で等方性に一次光線を照射することができる蛍光ランプを含んでいる。その代りに、光線放射構成素子１は半径方向に照射するＬＥＤまたはＬＥＤアレイとして実施することもできる。前の実施例と同じように、光線放射装置５００の光線放射構成素子１は、青色の照明印象を有する電磁一次光線を照射し、一方、第１の波長変換物質２１は、黄色または黄赤色の照明印象を有する変換光線を照射することができる。
【００８５】
光線放射構成素子１は、反射器２と絞り３の間に配置されている。絞り３は指向性を以て反射するように実施されており、二重矢印９１により示されるように図平面で回転可能である。分かりやすくするため、図５Ａと５Ｂには、直接または絞り３での反射により第１の波長変換物質２１に入射される一次光線の成分４１だけが図示されている。
【００８６】
成分４１として第１の波長変換物質２１に入射されない一次光線の成分は、照射方向で直接照射されることができる（図示しない）。
【００８７】
したがって光線放射装置５００から照射される二次光線は、一次光線の直接照射される成分と、第１の波長変換物質２１から照射される変換光線とから合成される。絞り３が光線放射構成素子１および反射器２に対して回転することにより、すなわち光線放射構成素子１および反射器２に対する絞り３の配向を変化することにより、図５Ａと５Ｂに示すように、第１の波長変換物質２１に入射される一次光線の成分４１を変化することができる。これにより変換光線、ならびに照射方向１０に照射することのできる一次光線の成分も、絞り３の相対的配向の変化によって可変となる。
【００８８】
したがって絞り３を回転することにより、二次光線における青色の一次光線の割合と、黄色の変換光線の割合とを変化することができる。これにより二次光線の照明印象を、図５Ｂによる絞りの配向での青っぽい色印象と、図５Ａによる絞り３の配向での黄または黄赤っぽい色印象との間で変化することができる。
【００８９】
絞り３を指向性を以て反射するように実施する代わりに、絞りが、図５Ａで反射器に向いた側の表面に、図２のような第３の波長変換物質を有することもできる。絞り３から反射器２に後方照射され、第３の波長変換物質により形成された変換光線は、反射器２で照射方向１０に反射することができ、これにより二次光線およびその照明印象に、絞りの配向に応じて寄与することができる。
【００９０】
回転可能な絞り３の代わりにまたはそれに加えて、光線放射装置５００は移動可能な絞り、または回転と移動の可能な絞りを有することができる。
【００９１】
図１Ａから５Ｂに関連して説明した、一次光線のための波長領域の組み合わせ、および変化光線は単なる例である。その他にも、波長領域にも他の組み合わせも可能であり、二次光線が可変の白色および／または混合色の照明印象を備えることも可能である。
【００９２】
本発明は、実施例に基づく説明によってこれに限定されるものではない。むしろ本発明はいずれの新規の特徴、ならびに特徴のいずれの組み合わせも含むものであり、これらの特徴またはこれらの組み合わせが明示的に特許請求の範囲または実施例に記載されていなくても、とりわけ請求の範囲の特徴のいずれの組み合わせも含むものである。
【符号の説明】
【００９３】
１  光線放射構成素子
２  反射器
３  絞り
４  一次光線
５  変換光線
６  二次光線
７  ディフューザ
１０  照射方向
２１  第１の波長変換物質
２２  第２の波長変換物質
３０  開口部
３１  第３の波長変換物質
４１，４２  一次光線の成分
９０  並進
９１  回転
１００  光線放射装置
２００  光線放射装置
３００  光線放射装置
４００  光線放射装置
５００  光線放射装置
【図１Ａ】
2011527093.tif 000003
【図１Ｂ】
2011527093.tif 000004
【図１Ｃ】
2011527093.tif 000005
【図２】
2011527093.tif 000006
【図３Ａ】
2011527093.tif 000007
【図３Ｂ】
2011527093.tif 000008
【図３Ｃ】
2011527093.tif 000009
【図４Ａ】
2011527093.tif 000010
【図４Ｂ】
2011527093.tif 000011
【図４Ｃ】
2011527093.tif 000012
【図５Ａ】
2011527093.tif 000013
【図５Ｂ】
2011527093.tif 000014
【国際調査報告】
2011527093.tif 000015
2011527093.tif 000016
2011527093.tif 000017
2011527093.tif 000018